(57)【要約】  無線通信における基準信号構成のための方法、システム、及び装置が説明される。１つの例示的な態様では、無線通信方法が開示される。前記方法は、基準信号リソース、セル及び／又はＢＷＰ情報の選択を示す１つ又は複数のシグナリングを受信することと、それに基づいて少なくとも１つの基準信号を受信することと、を含む。【選択図】図３
2021503253.tif 000002
【特許請求の範囲】
【請求項１】
無線通信方法であって、
基準信号リソースの１つ又は複数のセットを示す第１のシグナリングを受信することと、
前記基準信号リソースの１つ又は複数のセットからの、（１）基準信号リソースの１つ又は複数のサブセット、又は（２）１つ又は複数の個別基準信号リソースの選択を示す第２のシグナリングを受信することと、を含む方法。
【請求項２】
各個別基準信号リソースの構成情報は、前記個別基準信号リソースに関連するセル及び／又は帯域幅部分（ＢＷＰ）の少なくとも１つのインジケータを含む、請求項１に記載の方法。
【請求項３】
基準信号リソースの各個別セット又はサブセットの構成情報は、前記基準信号リソースの個別セット又はサブセットに関連するセル及び／又はＢＷＰの少なくとも１つのインジケータを含む、請求項１に記載の方法。
【請求項４】
第３のシグナリングに少なくとも部分的に基づいて、セルインジケータ及び／又はＢＷＰインジケータの１つ又は複数の候補セットを選択することをさらに含む、請求項２又は３に記載の方法。
【請求項５】
前記セルインジケータ及び／又はＢＷＰインジケータの１つ又は複数の候補セットに少なくとも部分的に基づいて、１つ又は複数のターゲットセル又はターゲットＢＷＰの選択を示す第４のシグナリングを受信することをさらに含む、請求項４に記載の方法。
【請求項６】
少なくとも１つの基準信号が、前記１つ又は複数のターゲットセル又はターゲットＢＷＰ上で受信される、請求項５に記載の方法。
【請求項７】
前記少なくとも１つの基準信号は、前記１つ又は複数のターゲットセル又はターゲットＢＷＰに対応する少なくとも１つの基準信号リソース又は基準信号リソースサブセットに少なくとも部分的に基づいて受信される、請求項６に記載の方法。
【請求項８】
基準信号リソースセット及び／又はサブセットの１つ又は複数の候補グループを示す第５のシグナリングを受信することをさらに含む、請求項１に記載の方法。
【請求項９】
前記基準信号リソースセット及び／又はサブセットの１つ又は複数の候補グループから、基準信号リソースセット及び／又はサブセットの１つ又は複数のターゲットグループの選択を示す第６のシグナリングを受信することをさらに含む、請求項８に記載の方法。
【請求項１０】
前記基準信号リソースセット及び／又はサブセットの前記選択された１つ又は複数のターゲットグループに少なくとも部分的に基づいて、少なくとも１つの基準信号を受信することをさらに含む、請求項９に記載の方法。
【請求項１１】
前記選択された１つ又は複数のターゲットグループに含まれる少なくとも１つの基準信号リソースセット又はサブセットに関して、無線通信装置からのシグナリング及び／又は１つ又は複数の所定のルールに少なくとも部分的に基づいて、少なくとも１つの基準信号を受信するためのスロットと、前記少なくとも１つの基準信号をトリガするためのスロットとの間のセットごと又はサブセットごとのタイムギャップを決定することをさらに含む、請求項９に記載の方法。
【請求項１２】
チャネル状態情報（ＣＳＩ）報告に関連する１つ又は複数のセル及び／又はＢＷＰに関する情報を示す第７のシグナリングを受信することをさらに含む、請求項１に記載の方法。
【請求項１３】
チャネル状態情報（ＣＳＩ）設定において構成された１つ又は複数のセル及び／又はＢＷＰは、基準信号リソース設定において構成された１つ又は複数のセル及び／又はＢＷＰのサブセットに対応する、請求項１２に記載の方法。
【請求項１４】
基準信号リソース設定において構成された１つ又は複数のセル及び／又はＢＷＰに少なくとも部分的に基づいて、（１）ＣＳＩ報告のための１つ又は複数のセル及び／又はＢＷＰ、（２）ＣＳＩ報告のための１つ又は複数のサブバンドサイズ、又は（３）ＣＳＩ報告に関連する１つ又は複数の対応するサブバンドの１つ又は複数の周波数領域ロケーションのうちの少なくとも１つを決定することをさらに含む、請求項１に記載の方法。
【請求項１５】
少なくとも１つの基準信号を受信するためのスロットと、前記少なくとも１つの基準信号をトリガするためのスロットとの間のタイムギャップが、（１）前記基準信号リソースの１つ又は複数のサブセット、又は（２）前記１つ又は複数の個別基準信号リソースに対応する少なくとも１つの空間ＱＣＬパラメータの前記存在及び／又は前記値に少なくとも部分的に基づいて決定される、請求項１に記載の方法。
【請求項１６】
（１）前記少なくとも１つの基準信号をトリガするシグナリングの制御シグナリングフォーマットが第１の基準を満たす場合、前記少なくとも１つの基準信号を受信するためのスロット及び前記少なくとも１つの基準信号をトリガするためのスロットが同じスロットである場合、及び／又は（２）前記少なくとも１つの基準信号をトリガする前記シグナリングの前記制御シグナリングフォーマットが前記第１の基準を満たさない場合、前記少なくとも１つの基準信号を受信するためのスロットと前記少なくとも１つの基準信号をトリガするためのスロットとの間のタイムギャップは、無線通信ノードからのシグナリング及び／又は１つ又は複数の所定のルールに少なくとも部分的に基づいて決定される、請求項１５に記載の方法。
【請求項１７】
前記第１の基準は、（１）前記制御シグナリングフォーマットが前記少なくとも１つの空間ＱＣＬパラメータを除外すること、（２）前記少なくとも１つの空間ＱＣＬパラメータが少なくとも１つのデフォルト空間ＱＣＬパラメータと同じであること、又は（３）前記少なくとも１つの空間ＱＣＬパラメータが高層シグナリングによって構成される少なくとも１つの空間ＱＣＬパラメータと同じであることのうちの少なくとも１つを含む、請求項１６に記載の方法。
【請求項１８】
前記少なくとも１つの基準信号をトリガする前記シグナリングの前記制御シグナリングフォーマットは、前記第１の基準を満たさず、（１）前記少なくとも１つの基準信号を受信するための前記スロットと、前記少なくとも１つの基準信号をトリガするための前記スロットとの間の前記タイムギャップに関する指示情報と、（２）前記少なくとも１つの空間ＱＣＬパラメータに関する指示情報とが、共同で示される、請求項１６に記載の方法。
【請求項１９】
前記少なくとも１つの基準信号をトリガする前記シグナリングの前記制御シグナリングフォーマットは、前記第１の基準を満たさず、前記少なくとも１つの基準信号を受信するための前記スロットは、前記少なくとも１つの基準信号をトリガするための前記スロットの後のＴ番目のスロットであり、Ｔは０より大きい整数である、請求項１６に記載の方法。
【請求項２０】
（１）Ｔは固定値であり、（２）ＴはＵＥ能力に少なくとも部分的に基づいて決定され、又は（３）Ｔは無線通信ノードからのシグナリングに少なくとも部分的に基づいて決定される、請求項１９に記載の方法。
【請求項２１】
少なくとも１つの基準信号リソースの構成情報は、少なくとも１つのＱＣＬパラメータを示す情報を含み、前記少なくとも１つの基準信号リソースに含まれるＮ個のポートは、前記少なくとも１つのＱＣＬパラメータを示す前記情報に少なくとも部分的に基づいてＤ個のポートグループに分割される、請求項１に記載の方法。
【請求項２２】
Ｍによって分離されたポートインデックスを有するポートが同じポートグループに含まれ、Ｍは、（１）Ｎ／２、（２）Ｎ／Ｋ、ただし、Ｋは前記少なくとも１つの基準信号リソースに含まれるＣＤＭグループの数である、（３）無線通信ノードからのシグナリングに少なくとも部分的に基づいて決定された値、又は（４）各ＣＤＭグループに含まれるポートの数のうちの少なくとも１つである、請求項２１に記載の方法。
【請求項２３】
Ｍは、無線通信ノードからのシグナリングに少なくとも部分的に基づいて決定され、Ｍは、少なくとも１つの関連するコードブック構成パラメータに少なくとも部分的に基づいて決定される、請求項２２に記載の方法。
【請求項２４】
連続するＳ個のポートインデックスを有するポートが同じポートグループに含まれ、Ｓは、（１）Ｎ／２、（２）Ｎ／Ｋ、ただし、Ｋは前記少なくとも１つの基準信号リソースに含まれるＣＤＭグループの数である、（３）無線通信ノードからのシグナリングに少なくとも部分的に基づいて決定される値、又は（４）各ＣＤＭグループに含まれるポートの数のうちの少なくとも１つである、請求項２１に記載の方法。
【請求項２５】
Ｓは、無線通信ノードからのシグナリングに少なくとも部分的に基づいて決定され、Ｓは、少なくとも１つの関連するコードブック構成パラメータに少なくとも部分的に基づいて決定される、請求項２４に記載の方法。
【請求項２６】
同じのシンボル又はシンボルグループに関連付けられたポートが、同じのポートグループに含まれる、請求項２１に記載の方法。
【請求項２７】
同じコンポーネント又はコンポーネントグループに関連付けられたポートが、同じポートグループに含まれる、請求項２１に記載の方法。
【請求項２８】
メモリとプロセッサとを備え、前記プロセッサは、前記メモリからコードを読み出して、請求項１〜２７のいずれかに記載の方法を実行する、無線通信装置。
【請求項２９】
コードが記憶されたコンピュータ可読プログラム記憶媒体であって、前記コードは、プロセッサによって実行されるとき、前記プロセッサに請求項１〜２７のいずれかに記載の方法を実行させる、コンピュータ可読プログラム記憶媒体。
【請求項３０】
無線通信方法であって、
基準信号リソースの１つ又は複数のセットを示す第１のシグナリングを送信することと、
前記基準信号リソースの１つ又は複数のセットからの、（１）基準信号リソースの１つ又は複数のサブセット、又は（２）１つ又は複数の個別基準信号リソースの選択を示す第２のシグナリングを送信することと、を含む方法。
【請求項３１】
各個別基準信号リソースの構成情報は、前記個別基準信号リソースに関連するセル及び／又は帯域幅部分（ＢＷＰ）の少なくとも１つのインジケータを含む、請求項３０に記載の方法。
【請求項３２】
基準信号リソースの各個別セット又はサブセットの構成情報は、前記基準信号リソースの個別セット又はサブセットに関連するセル及び／又はＢＷＰの少なくとも１つのインジケータを含む、請求項３０に記載の方法。
【請求項３３】
セルインジケータ及び／又はＢＷＰインジケータの１つ又は複数の候補セットの選択を示す第３のシグナリングを送信することをさらに含む、請求項３１又は３２に記載の方法。
【請求項３４】
前記セルインジケータ及び／又はＢＷＰインジケータの１つ又は複数の候補セットに少なくとも部分的に基づいて、１つ又は複数のターゲットセル又はターゲットＢＷＰの選択を示す第４のシグナリングを送信することをさらに含む、請求項３３に記載の方法。
【請求項３５】
前記１つ又は複数のターゲットセル又はターゲットＢＷＰ上で少なくとも１つの基準信号を送信することをさらに含む、請求項３４に記載の方法。
【請求項３６】
前記少なくとも１つの基準信号は、前記１つ又は複数のターゲットセル又はターゲットＢＷＰに対応する少なくとも１つの基準信号リソース又は基準信号リソースサブセットに少なくとも部分的に基づいて送信される、請求項３５に記載の方法。
【請求項３７】
基準信号リソースセット及び／又はサブセットの１つ又は複数の候補グループを示す第５のシグナリングを送信することをさらに含む、請求項３０に記載の方法。
【請求項３８】
前記基準信号リソースセット及び／又はサブセットの１つ又は複数の候補グループからの基準信号リソースセット及び／又はサブセットの１つ又は複数のターゲットグループの選択を示す第６のシグナリングを送信することをさらに含む、請求項３７に記載の方法。
【請求項３９】
前記基準信号リソースセット及び／又はサブセットの前記選択された１つ又は複数のターゲットグループに少なくとも部分的に基づいて、少なくとも１つの基準信号を送信することをさらに含む、請求項３８に記載の方法。
【請求項４０】
前記選択された１つ又は複数のターゲットグループに含まれる少なくとも１つの基準信号リソースセット又はサブセットに関して、シグナリング及び／又は１つ又は複数の所定のルールに少なくとも部分的に基づいて、前記少なくとも１つの基準信号の送信のためのスロットと、前記少なくとも１つの基準信号をトリガするためのスロットとの間のセットごと又はサブセットごとのタイムギャップに関する情報を送信することをさらに含む、請求項３９に記載の方法。
【請求項４１】
チャネル状態情報（ＣＳＩ）報告に関連する１つ又は複数のセル及び／又はＢＷＰに関する情報を示す第７のシグナリングを送信することをさらに含む、請求項３０に記載の方法。
【請求項４２】
チャネル状態情報（ＣＳＩ）設定において構成された１つ又は複数のセル及び／又はＢＷＰは、基準信号リソース設定において構成された１つ又は複数のセル及び／又はＢＷＰのサブセットに対応する、請求項４１に記載の方法。
【請求項４３】
無線通信ノードからＣＳＩ報告を受信することをさらに含み、（１）前記ＣＳＩ報告のための１つ又は複数のセル及び／又はＢＷＰ、（２）前記ＣＳＩ報告のための１つ又は複数のサブバンドサイズ、又は（３）前記ＣＳＩ報告に関連する１つ又は複数の対応するサブバンドの１つ又は複数の周波数領域ロケーションのうちの少なくとも１つが、基準信号リソース設定において構成された１つ又は複数のセル及び／又はＢＷＰに少なくとも部分的に基づいて決定される、請求項３０に記載の方法。
【請求項４４】
前記少なくとも１つの基準信号の送信のためのスロットと、前記少なくとも１つの基準信号をトリガするためのスロットとの間のタイムギャップが、（１）基準信号リソースの１つ又は複数のサブセット、又は（２）１つ又は複数の個別基準信号リソースに対応する少なくとも１つの空間ＱＣＬパラメータの前記存在及び／又は前記値に少なくとも部分的に基づいて決定される、請求項３０に記載の方法。
【請求項４５】
（１）前記少なくとも１つの基準信号をトリガするシグナリングの制御シグナリングフォーマットが第１の基準を満たす場合、前記少なくとも１つの基準信号の送信のためのスロット及び前記少なくとも１つの基準信号をトリガするためのスロットが同じスロットであり、及び／又は（２）前記少なくとも１つの基準信号をトリガする前記シグナリングの前記制御シグナリングフォーマットが前記第１の基準を満たさない場合、前記少なくとも１つの基準信号の送信のためのスロットと、前記少なくとも１つの基準信号をトリガするためのスロットとの間のタイムギャップは、シグナリング及び／又は１つ又は複数の所定のルールに少なくとも部分的に基づいて決定される、請求項４４に記載の方法。
【請求項４６】
前記第１の基準は、（１）前記制御シグナリングフォーマットが前記少なくとも１つの空間ＱＣＬパラメータを除外すること、（２）前記少なくとも１つの空間ＱＣＬパラメータが少なくとも１つのデフォルト空間ＱＣＬパラメータと同じであること、又は（３）前記少なくとも１つの空間ＱＣＬパラメータが高層シグナリングによって構成される少なくとも１つの空間ＱＣＬパラメータと同じであることのうちの少なくとも１つを含む、請求項４５に記載の方法。
【請求項４７】
前記少なくとも１つの基準信号をトリガする前記シグナリングの前記制御シグナリングフォーマットは、前記第１の基準を満たさず、（１）前記少なくとも１つの基準信号の送信のための前記スロットと、前記少なくとも１つの基準信号をトリガするための前記スロットとの間の前記タイムギャップのための指示情報と、（２）前記少なくとも１つの空間ＱＣＬパラメータのための指示情報とが、共同で示される、請求項４５に記載の方法。
【請求項４８】
前記少なくとも１つの基準信号をトリガする前記シグナリングの前記制御シグナリングフォーマットは、前記第１の基準を満たさず、前記少なくとも１つの基準信号の送信のための前記スロットは、前記少なくとも１つの基準信号をトリガするための前記スロットの後のＴ番目のスロットであり、Ｔは０より大きい整数である、請求項４５に記載の方法。
【請求項４９】
（１）Ｔは固定値であり、（２）ＴはＵＥ能力に少なくとも部分的に基づいて決定され、又は（３）Ｔはシグナリングに少なくとも部分的に基づいて無線通信ノードに示される、請求項４８に記載の方法。
【請求項５０】
少なくとも１つの基準信号リソースの構成情報は、少なくとも１つのＱＣＬパラメータを示す情報を含み、前記少なくとも１つの基準信号リソースに含まれるＮ個のポートが、前記少なくとも１つのＱＣＬパラメータを示す前記情報に少なくとも部分的に基づいてＤ個のポートグループに分割される、請求項３０に記載の方法。
【請求項５１】
Ｍによって分離されたポートインデックスを有するポートが同じポートグループに含まれ、Ｍは、（１）Ｎ／２、（２）Ｎ／Ｋ、ただし、Ｋは前記少なくとも１つの基準信号リソースに含まれるＣＤＭグループの数である、（３）シグナリングに少なくとも部分的に基づいて決定された値、又は（４）各ＣＤＭグループに含まれるポートの数のうちの少なくとも１つである、請求項５０に記載の方法。
【請求項５２】
Ｍは、シグナリングに少なくとも部分的に基づいて決定され、Ｍは、少なくとも１つの関連するコードブック構成パラメータに少なくとも部分的に基づいて決定される、請求項５１に記載の方法。
【請求項５３】
連続するＳ個のポートインデックスを有するポートが同じポートグループに含まれ、Ｓは、（１）Ｎ／２、（２）Ｎ／Ｋ、ただし、Ｋは前記少なくとも１つの基準信号リソースに含まれるＣＤＭグループの数である、（３）シグナリングに少なくとも部分的に基づいて決定される値、又は（４）各ＣＤＭグループに含まれるポートの数のうちの少なくとも１つである、請求項５０に記載の方法。
【請求項５４】
Ｓは、シグナリングに少なくとも部分的に基づいて決定され、Ｓは、少なくとも１つの関連するコードブック構成パラメータに少なくとも部分的に基づいて決定される、請求項５３に記載の方法。
【請求項５５】
同じシンボル又はシンボルグループに関連付けられたポートが、同じのポートグループに含まれる、請求項５０に記載の方法。
【請求項５６】
同じコンポーネント又はコンポーネントグループに関連付けられたポートが、同じポートグループに含まれる、請求項５０に記載の方法。
【請求項５７】
メモリとプロセッサとを備え、前記プロセッサは、前記メモリからコードを読み出して、請求項３０〜５６のいずれかに記載の方法を実行する、無線通信装置。
【請求項５８】
コードが記憶されたコンピュータ可読プログラム記憶媒体であって、前記コードは、プロセッサによって実行されるとき、前記プロセッサに、請求項３０〜５６のいずれかに記載の方法を実行させる、プログラム記憶媒体。
【発明の詳細な説明】
【技術分野】
【０００１】
本特許文献は一般に、無線通信に関する。
【背景技術】
【０００２】
モバイル通信技術は、ますます接続されネットワーク化された社会に向かって世界を動かしている。既存の無線ネットワークと比較して、次世代システム及び無線通信技法は、はるかに広範囲のユースケース特性をサポートし、はるかに複雑な範囲のネットワークアクセス技法を提供する必要がある。
【発明の概要】
【０００３】
本特許文献は、無線通信における基準信号構成のための技術、システム、及び装置に関する。
【０００４】
１つの例示的な態様では、無線通信方法が開示される。前記方法は、基準信号リソースの１つ又は複数のセットを示す第１のシグナリングを受信することと、（１）基準信号リソースの１つ又は複数のサブセット、又は（２）基準信号リソースの１つ又は複数のセットからの１つ又は複数の個別基準信号リソースの選択を示す第２のシグナリングを受信することと、を含む。
【０００５】
いくつかの実施形態では、各個別基準信号リソースの構成情報は、個別基準信号リソースに関連するセル及び／又は帯域幅部分（ＢＷＰ）の少なくとも１つのインジケータを含む。いくつかの実施形態では、基準信号リソースの各個別セット又はサブセットの構成情報は、基準信号リソースの個別セット又はサブセットに関連するセル及び／又はＢＷＰの少なくとも１つのインジケータを含む。
【０００６】
いくつかの実施形態において、前記方法は、第３のシグナリングに少なくとも部分的に基づいて、セルインジケータ及び／又はＢＷＰインジケータの１つ又は複数の候補セットを選択することをさらに含む。いくつかの実施形態において、前記方法は、セルインジケータ及び／又はＢＷＰインジケータの１つ又は複数の候補セットに基づいて、１つ又は複数のターゲットセル又はターゲットＢＷＰの選択を示す第４のシグナリングを受信することをさらに含む。いくつかの実施形態では、少なくとも１つの基準信号は、１つ又は複数のターゲットセル又はターゲットＢＷＰ上で受信される。いくつかの実施形態では、少なくとも１つの基準信号は、１つ又は複数のターゲットセル又はターゲットＢＷＰに対応する少なくとも１つの基準信号リソース又は基準信号リソースサブセットに少なくとも部分的に基づいて受信される。
【０００７】
いくつかの実施形態では、前記方法は、基準信号リソースセット及び／又はサブセットの１つ又は複数の候補グループを示す第５のシグナリングを受信することをさらに含む。いくつかの実施形態では、前記方法は、基準信号リソースセット及び／又はサブセットの１つ又は複数の候補グループからの基準信号リソースセット及び／又はサブセットの１つ又は複数のターゲットグループの選択を示す第６のシグナリングを受信することをさらに含む。いくつかの実施形態では、前記方法は、基準信号リソースセット及び／又はサブセットの選択された１つ又は複数のターゲットグループに少なくとも部分的に基づいて、少なくとも１つの基準信号を受信することをさらに含む。いくつかの実施形態では、前記方法は、無線通信装置からのシグナリング及び／又は１つ又は複数の所定のルールに少なくとも部分的に基づいて、選択された１つ又は複数のターゲットグループに含まれる少なくとも１つの基準信号リソースセット又はサブセットに関して、少なくとも１つの基準信号を受信するためのスロットと、少なくとも１つの基準信号をトリガするためのスロットとの間のセットごと又はサブセットごとのタイムギャップを決定することをさらに含む。
【０００８】
いくつかの実施形態では、前記方法は、チャネル状態情報（ＣＳＩ）報告に関連する１つ又は複数のセル及び／又はＢＷＰに関する情報を示す第７のシグナリングを受信することをさらに含む。いくつかの実施形態では、チャネル状態情報（ＣＳＩ）設定において構成された１つ又は複数のセル及び／又はＢＷＰは、基準信号リソース設定において構成された１つ又は複数のセル及び／又はＢＷＰのサブセットに対応する。
【０００９】
いくつかの実施形態では、前記方法は、基準信号リソース設定において構成された１つ又は複数のセル及び／又はＢＷＰに少なくとも部分的に基づいて、（１）ＣＳＩ報告のための１つ又は複数のセル及び／又はＢＷＰ、（２）ＣＳＩ報告のための１つ又は複数のサブバンドサイズ、又は（３）ＣＳＩ報告に関連する１つ又は複数の対応するサブバンドの１つ又は複数の周波数領域ロケーションのうちの少なくとも１つを決定することをさらに含む。いくつかの実施形態では、少なくとも１つの基準信号を受信するためのスロットと、少なくとも１つの基準信号をトリガするためのスロットとの間のタイムギャップは、（１）基準信号リソースの１つ又は複数のサブセット、又は（２）１つ又は複数の個別基準信号リソースに対応する少なくとも１つの空間ＱＣＬパラメータの存在及び／又は値に少なくとも部分的に基づいて決定される。
【００１０】
いくつかの実施形態では、（１）少なくとも１つの基準信号をトリガするシグナリングの制御シグナリングフォーマットが第１の基準を満たす場合、少なくとも１つの基準信号を受信するためのスロット及び少なくとも１つの基準信号をトリガするためのスロットは同じスロットであり、及び／又は（２）少なくとも１つの基準信号をトリガするシグナリングの制御シグナリングフォーマットが第１の基準を満たさない場合、少なくとも１つの基準信号を受信するためのスロットと少なくとも１つの基準信号をトリガするためのスロットとの間のタイムギャップは、無線通信ノードからのシグナリング及び／又は１つ又は複数の所定のルールに少なくとも部分的に基づいて決定される。いくつかの実施形態では、第１の基準は、（１）制御シグナリングフォーマットが少なくとも１つの空間ＱＣＬパラメータを除外すること、（２）少なくとも１つの空間ＱＣＬパラメータが少なくとも１つのデフォルト空間ＱＣＬパラメータと同じであること、又は（３）少なくとも１つの空間ＱＣＬパラメータが高層シグナリングによって構成される少なくとも１つの空間ＱＣＬパラメータと同じであることのうちの少なくとも１つを含む。いくつかの実施形態では、少なくとも１つの基準信号をトリガするシグナリングの制御シグナリングフォーマットが第１の基準を満たさず、（１）少なくとも１つの基準信号を受信するためのスロットと、少なくとも１つの基準信号をトリガするためのスロットとの間のタイムギャップに関する指示情報と、（２）少なくとも１つの空間ＱＣＬパラメータに関する指示情報とが、共同で（jointly）示される。いくつかの実施形態では、少なくとも１つの基準信号をトリガするシグナリングの制御シグナリングフォーマットが第１の基準を満たさず、少なくとも１つの基準信号を受信するためのスロットは、少なくとも１つの基準信号をトリガするためのスロットの後のＴ番目のスロットであり、Ｔは０より大きい整数である。いくつかの実施形態では、（１）Ｔは固定値であり、（２）ＴはＵＥ能力に少なくとも部分的に基づいて決定され、又は（３）Ｔは無線通信ノードからのシグナリングに少なくとも部分的に基づいて決定される。
【００１１】
いくつかの実施形態では、少なくとも１つの基準信号リソースの構成情報は、少なくとも１つのＱＣＬパラメータを示す情報を含み、少なくとも１つの基準信号リソースに含まれるＮ個のポートは、少なくとも１つのＱＣＬパラメータを示す情報に少なくとも部分的に基づいてＤ個のポートグループに分割される。いくつかの実施形態では、Ｍによって分離されたポートインデックスを有するポートが同じポートグループに含まれ、Ｍは、（１）Ｎ／２、（２）Ｎ／Ｋ（ただし、Ｋは少なくとも１つの基準信号リソースに含まれるＣＤＭグループの数である）、（３）無線通信ノードからのシグナリングに少なくとも部分的に基づいて決定される値、又は（４）各ＣＤＭグループに含まれるポートの数のうちの少なくとも１つである。いくつかの実施形態では、Ｍは、無線通信ノードからのシグナリングに少なくとも部分的に基づいて決定され、Ｍは、少なくとも１つの関連するコードブック構成パラメータに少なくとも部分的に基づいて決定される。いくつかの実施形態では、連続するＳ個のポートインデックスを有するポートが同じポートグループに含まれ、Ｓは、（１）Ｎ／２、（２）Ｎ／Ｋ（ただし、Ｋは少なくとも１つの基準信号リソースに含まれるＣＤＭグループの数である）、（３）無線通信ノードからのシグナリングに少なくとも部分的に基づいて決定される値、又は（４）各ＣＤＭグループに含まれるポートの数のうちの少なくとも１つである。いくつかの実施形態では、Ｓは無線通信ノードからのシグナリングに少なくとも部分的に基づいて決定され、Ｓは少なくとも１つの関連するコードブック構成パラメータに少なくとも部分的に基づいて決定される。いくつかの実施形態では、同じシンボル又はシンボルグループに関連するポートが同じポートグループに含まれる。いくつかの実施形態では、同じコンポーネント又はコンポーネントグループに関連付けられたポートが同じポートグループに含まれる。
【００１２】
別の例示的な態様では、無線通信方法が開示される。前記方法は、基準信号リソースの１つ又は複数のセットを示す第１のシグナリングを送信することと、（１）基準信号リソースの１つ又は複数のサブセット、又は（２）基準信号リソースの１つ又は複数のセットからの１つ又は複数の個別基準信号リソースの選択を示す第２のシグナリングを送信することと、を含む。
【００１３】
いくつかの実施形態では、各個別基準信号リソースの構成情報は、個別基準信号リソースに関連するセル及び／又は帯域幅部分（ＢＷＰ）の少なくとも１つのインジケータを含む。いくつかの実施形態では、基準信号リソースの各個別セット又はサブセットの構成情報は、基準信号リソースの個別セット又はサブセットに関連するセル及び／又はＢＷＰの少なくとも１つのインジケータを含む。
【００１４】
いくつかの実施形態において、前記方法は、セルインジケータ及び／又はＢＷＰインジケータの１つ又は複数の候補セットの選択を示す第３のシグナリングを送信することをさらに含む。いくつかの実施形態において、前記方法は、セルインジケータ及び／又はＢＷＰインジケータの１つ又は複数の候補セットに少なくとも部分的に基づいて、１つ又は複数のターゲットセル又はターゲットＢＷＰの選択を示す第４のシグナリングを送信することをさらに含む。いくつかの実施形態では、前記方法は、１つ又は複数のターゲットセル又はターゲットＢＷＰ上で少なくとも１つの基準信号を送信することをさらに含む。いくつかの実施形態では、少なくとも１つの基準信号は、１つ又は複数のターゲットセル又はターゲットＢＷＰに対応する少なくとも１つの基準信号リソース又は基準信号リソースサブセットに少なくとも部分的に基づいて送信される。
【００１５】
いくつかの実施形態では、前記方法は、基準信号リソースセット及び／又はサブセットの１つ又は複数の候補グループを示す第５のシグナリングを送信することをさらに含む。いくつかの実施形態では、前記方法は、基準信号リソースセット及び／又はサブセットの１つ又は複数の候補グループからの基準信号リソースセット及び／又はサブセットの１つ又は複数のターゲットグループの選択を示す第６のシグナリングを送信することをさらに含む。いくつかの実施形態では、前記方法は、基準信号リソースセット及び／又はサブセットの選択された１つ又は複数のターゲットグループに少なくとも部分的に基づいて、少なくとも１つの基準信号を送信することをさらに含む。いくつかの実施形態では、前記方法は、シグナリング及び／又は１つ又は複数の所定のルールに少なくとも部分的に基づいて、選択された１つ又は複数のターゲットグループに含まれる少なくとも１つの基準信号リソースセット又はサブセットに関して、少なくとも１つの基準信号の送信のためのスロットと、少なくとも１つの基準信号をトリガするためのスロットとの間の、セットごと又はサブセットごとのタイムギャップに関する情報を送信することをさらに含む。
【００１６】
いくつかの実施形態では、前記方法は、チャネル状態情報（ＣＳＩ）報告に関連する１つ又は複数のセル及び／又はＢＷＰに関する情報を示す第７のシグナリングを送信することをさらに含む。いくつかの実施形態では、チャネル状態情報（ＣＳＩ）設定において構成された１つ又は複数のセル及び／又はＢＷＰは、基準信号リソース設定において構成された１つ又は複数のセル及び／又はＢＷＰのサブセットに対応する。いくつかの実施形態では、前記方法は、無線通信ノードからＣＳＩ報告を受信することをさらに含み、（１）ＣＳＩ報告のための１つ又は複数のセル及び／又はＢＷＰ、（２）ＣＳＩ報告のための１つ又は複数のサブバンドサイズ、又は（３）ＣＳＩ報告に関連する１つ又は複数の対応するサブバンドの１つ又は複数の周波数領域ロケーションのうちの少なくとも１つは、基準信号リソース設定において構成された１つ又は複数のセル及び／又はＢＷＰに少なくとも部分的に基づいて決定される。
【００１７】
いくつかの実施形態では、少なくとも１つの基準信号の送信のためのスロットと少なくとも１つの基準信号をトリガするためのスロットとの間のタイムギャップは、（１）基準信号リソースの１つ又は複数のサブセット、又は（２）１つ又は複数の個別基準信号リソースに対応する少なくとも１つの空間ＱＣＬパラメータの存在及び／又は値に少なくとも部分的に基づいて決定される。いくつかの実施形態では、（１）少なくとも１つの基準信号をトリガするシグナリングの制御シグナリングフォーマットが第１の基準を満たす場合、少なくとも１つの基準信号の送信のためのスロット及び少なくとも１つの基準信号をトリガするためのスロットは同じスロットであり、及び／又は（２）少なくとも１つの基準信号をトリガするシグナリングの制御シグナリングフォーマットが第１の基準を満たさない場合、少なくとも１つの基準信号の送信のためのスロットと少なくとも１つの基準信号をトリガするためのスロットとの間のタイムギャップは、シグナリング及び／又は１つ又は複数の所定のルールに少なくとも部分的に基づいて決定される。いくつかの実施形態では、第１の基準は、（１）制御シグナリングフォーマットが少なくとも１つの空間ＱＣＬパラメータを除外すること、（２）少なくとも１つの空間ＱＣＬパラメータが少なくとも１つのデフォルト空間ＱＣＬパラメータと同じであること、又は（３）少なくとも１つの空間ＱＣＬパラメータが高層シグナリングによって構成される少なくとも１つの空間ＱＣＬパラメータと同じであることのうちの少なくとも１つを含む。いくつかの実施形態では、少なくとも１つの基準信号をトリガするシグナリングの制御シグナリングフォーマットが第１の基準を満たさず、（１）少なくとも１つの基準信号の送信のためのスロットと、少なくとも１つの基準信号をトリガするためのスロットとの間のタイムギャップのための指示情報と、（２）少なくとも１つの空間ＱＣＬパラメータのための指示情報とが、共同で示される。いくつかの実施形態では、少なくとも１つの基準信号をトリガするシグナリングの制御シグナリングフォーマットが第１の基準を満たさず、少なくとも１つの基準信号の送信のためのスロットは、少なくとも１つの基準信号をトリガするためのスロットの後のＴ番目のスロットであり、Ｔは０より大きい整数である。いくつかの実施形態では、（１）Ｔは固定値であり、（２）ＴはＵＥ能力に少なくとも部分的に基づいて決定され、又は（３）Ｔはシグナリングに少なくとも部分的に基づいて無線通信ノードに示される。
【００１８】
いくつかの実施形態では、少なくとも１つの基準信号リソースの構成情報は、少なくとも１つのＱＣＬパラメータを示す情報を含み、少なくとも１つの基準信号リソースに含まれるＮ個のポートは、少なくとも１つのＱＣＬパラメータを示す情報に少なくとも部分的に基づいてＤ個のポートグループに分割される。いくつかの実施形態では、Ｍによって分離されたポートインデックスを有するポートが同じポートグループに含まれ、Ｍは、（１）Ｎ／２、（２）Ｎ／Ｋ（ただし、Ｋは少なくとも１つの基準信号リソースに含まれるＣＤＭグループの数である）、（３）シグナリングに少なくとも部分的に基づいて決定される値、又は（４）各ＣＤＭグループに含まれるポートの数のうちの少なくとも１つである。いくつかの実施形態では、Ｍは、シグナリングに少なくとも部分的に基づいて決定され、Ｍは、少なくとも１つの関連するコードブック構成パラメータに少なくとも部分的に基づいて決定される。いくつかの実施形態では、連続するＳ個のポートインデックスを有するポートが同じポートグループに含まれ、Ｓは、（１）Ｎ／２、（２）Ｎ／Ｋ（ただし、Ｋは少なくとも１つの基準信号リソースに含まれるＣＤＭグループの数である）、（３）シグナリングに少なくとも部分的に基づいて決定される値、又は（４）各ＣＤＭグループに含まれるポートの数のうちの少なくとも１つである。いくつかの実施形態では、Ｓは、シグナリングに少なくとも部分的に基づいて決定され、Ｓは、少なくとも１つの関連するコードブック構成パラメータに少なくとも部分的に基づいて決定される。いくつかの実施形態では、同じシンボル又はシンボルグループに関連するポートが同じポートグループに含まれる。いくつかの実施形態では、同じコンポーネント又はコンポーネントグループに関連するポートが同じポートグループに含まれる。
【００１９】
別の例示的な態様では、上述の方法がプロセッサ実行可能コードの形態で実施され、コンピュータ可読プログラム媒体に格納される。
【００２０】
さらに別の例示的な実施形態では、上述の方法を実行するように構成された又は動作可能な装置が開示される。
【００２１】
上記及び他の態様並びにそれらの実装形態は、図面、明細書及び特許請求の範囲においてより詳細に説明される。
【図面の簡単な説明】
【００２２】
【図１】本開示の技術のいくつかの実施形態による、無線通信における基地局及びＵＥの一例を示す図である。
【００２３】
【図２】本開示の技術のいくつかの実施形態による、セルインジケータ又はＢＷＰインジケータを含む基準信号リソース構成情報の例を示す図である。
【００２４】
【図３】本開示の技術のいくつかの実施形態による、基準信号リソース構成に基づいて１つ又は複数の基準信号リソース、セル、及び／又はＢＷＰを選択する例を示す図である。
【００２５】
【図４】本開示の技術のいくつかの実施形態による、セルインジケータ又はＢＷＰインジケータを含む基準信号リソースセット（又はサブセット）構成情報の例を示す図である。
【００２６】
【図５】本開示の技術のいくつかの実施形態による、１つ又は複数の基準信号リソースサブセットをトリガする方法の例を示す図である。
【００２７】
【図６】本開示の技術のいくつかの実施形態による、無線局の一部のブロック図表現である。
【発明を実施するための形態】
【００２８】
無線通信の急速な成長及び技術の進歩は、部分的にはより大きな容量及びより高いデータ速度に対する要求を満たすことである。エネルギー消費、デバイスコスト、スペクトルリソース割り当て、及び待ち時間などの他の態様も、将来のネットワークの成功の要因である。
【００２９】
無線通信においてより高いデータ転送速度を達成するために、無線通信ノードは、データを送信及び／又は受信するために複数のアンテナを使用することができる。多入力多出力（ＭＩＭＯ）は、多経路伝搬を利用するために複数の送受信アンテナを用いて無線リンクの容量を乗算する方法である。ＭＩＭＯは、帯域幅及び／又は電力消費を増加させることなく、通信システム性能を効果的に改善するように、通信チャネルのいくつかの特徴を使用して、チャネル特性に適合する多層送信を形成することができる。
【００３０】
例示的に、送信側は、チャネルを介して基準信号を送信し、受信側は、受信された基準信号を測定することによってチャネル状態情報（ＣＳＩ）を計算し、チャネルを介してＣＳＩを送信側にフィードバックし、送信側は、対応するチャネル特性に適合するプリコーディング又はビームフォーミングを実行することができる。いくつかの実施形態では、基準信号の送信は周期的ではない。すなわち、送信側は、シグナリングによって基準信号の送信をトリガ（又は活性化）し、受信側は、シグナリングに従って基準信号を受信して測定し、ＣＳＩを報告する。具体的には、送信側は、第１のシグナリングを介した選択に利用可能な基準信号リソースセットを構成し、第２のシグナリングを介した基準信号リソースセットからの基準信号リソース又は基準信号リソースサブセットの選択を指示する。送信側は、選択された基準信号リソース又は基準信号リソースサブセットを使用して、基準信号の送信をトリガする。受信側は、第１及び第２のシグナリングを受信し、それに基づいて、対応する基準信号を受信し、測定を行い、ＣＳＩを報告する。
【００３１】
５Ｇ無線通信技術では、送信側は、複数のセル、複数の帯域幅部分（ＢＷＰ）、及び／又は複数の空間準コロケーション（ＱＣＬ）パラメータでデータ送信を実行することができる。したがって、送信側は、対応するＣＳＩを取得するために、複数のセル、複数のＢＷＰ、及び／又は複数の空間ＱＣＬパラメータで基準信号を送信することが望ましい。したがって、基準信号のためのより多くのリソースが送信される必要があり得、基準信号のトリガはより大きなシグナリングオーバヘッドにつながり得、場合によってはトリガシグナリングと基準信号送信との間のタイミング関係が再設計を必要とし得る。本開示の技術は、これらの問題に対処する。
【００３２】
図１は、本開示の技術のいくつかの実施形態による、無線通信における基地局及びＵＥの一例を示したものである。基地局（１２０）は、複数のＵＥ（１１０ａ〜１１０ｃ）にシグナリング（１４０ａ〜１４０ｃ）及び基準信号（１５０ａ〜１５０ｃ）を送信することができる。ＵＥ（１１０ａ〜１１０ｃ）は、対応するＣＳＩ（１３０ａ〜１３０ｃ）を基地局（１２０）に送信することができる。本開示の技術は、基地局とＵＥとの間の無線通信における基準信号構成、関連するシグナリング、及び対応するＣＳＩ送信についての様々な実施形態を提供する。
【００３３】
第１の実施形態
【００３４】
基準信号の送信は、さまざまな方法で行うことができる。周期的な基準信号送信の場合、基地局は、上位層シグナリングを介して基準信号を送信するための期間及び時間オフセットを構成し、ＵＥは、期間及び時間オフセット情報から決定された時点で基準信号を受信する。トリガされた基準信号送信の場合、基地局は、上位層シグナリングを介して選択可能な基準信号リソースを構成し、基地局シグナリングを介して基準信号の送信をトリガする。
【００３５】
トリガされた基準信号送信の場合、基地局は、第１のシグナリングを使用することによって、基準信号リソースセットを構成することができ、第１のシグナリングは一般に、高層シグナリングである。基地局は、第２のシグナリングを使用することによって、構成された基準信号リソースセットから基準信号リソース及び／又は基準信号リソースサブセットを選択することができる。ＵＥは、選択された基準信号リソース及び／又は基準信号リソースサブセットを使用して、基準信号を受信することができる。例示的に、第２のシグナリングは、レイヤ１（Ｌ１）シグナリング、レイヤ２（Ｌ２）シグナリング、又はＬ１シグナリングとＬ２シグナリングとの組み合わせとすることができる。例えば、Ｌ２シグナリングは、構成された基準信号リソースセットからの基準信号リソースの第１のサブセットの選択を示すことができ、次いで、Ｌ１シグナリングは、第１のサブセットからの基準信号リソースの第２のサブセットのさらなる選択を示すことができる。ＵＥは、第２のサブセットに含まれる基準信号リソースを使用して、基準信号を受信することができる。
【００３６】
新しい無線（ＮＲ）通信システムでは、複数のセル（例えば、キャリアアグリゲーション中のセル）が存在することができる。例示的に、セルは、コンポーネントキャリア（ＣＣ）又は１つ又は複数のＢＷＰを有するＣＣのグループに対応することができる。異なるセル又はＢＷＰは、異なる基準信号リソース要件を有することができ、したがって、基準信号の構成が、対応するセル及び／又はＢＷＰを反映することが望ましい。より多くのセル及び／又はＢＷＰが考慮される場合、より多くの基準信号リソース及び／又は基準信号リソースサブセットが構成される必要があり、これは、より大きなＬ１／Ｌ２シグナリングオーバヘッドにつながり得る。本開示の技術は、これらの問題に対処するための以下の方法を含む。
【００３７】
いくつかの実施形態では、各個別基準信号リソースの構成情報は、基準信号リソースに関連するセル又はＢＷＰ情報を含むことができる。図２は、本開示の技術のいくつかの実施形態による、セルインジケータ又はＢＷＰインジケータを含む基準信号リソース構成の例を示す。
【００３８】
このようにして、各基準信号リソース構成は、対応するセルインジケータ及び／又はＢＷＰインジケータを含む。第２のシグナリングを使用することによって基準信号リソース又は基準信号リソースサブセットを選択するとき、基地局は、シグナリングを使用することによってセル又はＢＷＰを選択することができる。図３は、本開示の技術のいくつかの実施形態による、基準信号リソース構成に基づいて１つ又は複数の基準信号リソース、セル及び／又はＢＷＰを選択する例を示す。
【００３９】
例示的に、上述のように、基地局は、第２のシグナリング３０２を使用することによって、構成された基準信号リソースセット又はサブセットから、基準信号リソース及び／又は基準信号リソースサブセットを選択することができる。基地局はまた、第３のシグナリング３０３を使用して、個別基準信号リソースの構成情報に基づいて、候補セルインジケータグループ及び／又は候補ＢＷＰインジケータグループを選択することができる。いくつかの実施形態では、第３のシグナリングはＬ２シグナリングである。
【００４０】
いくつかの実施形態では、基地局は、第４のシグナリング３０４を使用して、候補グループからセルインジケータグループ及び／又はＢＷＰインジケータグループをさらに選択してもよい。各選択されたセルインジケータグループは、１つ又は複数のセルインジケータを含むことができ、各選択されたＢＷＰインジケータグループは、１つ又は複数のＢＷＰインジケータを含むことができる。いくつかの実施形態では、第４のシグナリングはＬ２シグナリング又はＬ１シグナリングである。
【００４１】
ＵＥは、選択されたセル及び／又はＢＷＰ上で基準信号を受信することができる。さらに、ＵＥは、それらの関連する基準信号リソースを使用して、選択されたセル及び／又はＢＷＰ上で基準信号を受信することができる。いくつかの実施形態では、ＵＥは、（１）選択されたセル及び／又はＢＷＰ上で、並びに（２）選択された基準信号リソースを使用して、基準信号を受信するだけである。言い換えれば、選択された基準信号リソースがいずれの選択されたセル又はＢＷＰにも関連付けられていない場合、ＵＥは、基準信号を受信するためにリソースを使用しない。また、選択されたセル又はＢＷＰがいずれの選択された基準信号リソースにも関連付けられていない場合、ＵＥは、セル又はＢＷＰ上で基準信号を受信しない。
【００４２】
いくつかの実施形態では、ＵＥは、選択されたセル及び／又はＢＷＰ情報と、選択された基準信号リソースサブセットに含まれる基準信号リソースとに基づいて、選択された基準信号リソースの周波数領域情報（例えば、最大帯域幅、部分帯域幅構成の周波数領域粒度など）を決定することができる。
【００４３】
いくつかの実施形態では、各基準信号リソースセット及び／又はサブセットの構成情報は、関連するセル又はＢＷＰ情報を含むことができる。図４は、本開示の技術のいくつかの実施形態による、セルインジケータ又はＢＷＰインジケータを含む基準信号リソースセット（又はサブセット）構成の例を示す。例示的に、複数の基準信号リソースセットを構成するとき、各セットは、１つ又は複数の対応するセルインジケータ及び／又は１つ又は複数の対応するＢＷＰインジケータを含むことができる。代替として、又は追加として、複数の基準信号リソースサブセットを構成するとき、各基準信号リソースサブセットは、１つ又は複数の対応するセルインジケータ及び／又は１つ又は複数の対応するＢＷＰインジケータを含むことができる。例えば、異なる基準信号リソースセットは、それぞれ異なるセルに対応することができ、各セット内で、異なる基準信号リソースサブセットは、それぞれ異なるＢＷＰに対応することができる。
【００４４】
したがって、基地局が第２のシグナリングを介して基準信号リソースサブセットを示す場合、基地局は、Ｌ２シグナリングを介して第１のサブセットを示すことができる。第１のサブセットは、複数の異なる基準信号リソースセット内の基準信号リソースサブセットを含むことができる。この場合、対応する基準信号リソースセット及び／又はサブセット構成情報は、複数のセルインジケータ及び／又はＢＷＰインジケータを含むことができる。上述のようなセル及び／又はＢＷＰ選択と同様に、基地局は、第３のシグナリングを使用して、１つ又は複数の候補セルインジケータグループ及び／又は１つ又は複数の候補ＢＷＰインジケータグループを選択することができる。いくつかの実施形態では、基地局は、第４のシグナリングを使用することによって、前述の候補グループからセル及び／又はＢＷＰをさらに選択することができる。例示的に、第３のシグナリングは、Ｌ１シグナリング及び／又はＬ２シグナリングとすることができ、第４のシグナリングは、Ｌ１シグナリングとすることができる。
【００４５】
ＵＥは、選択されたセル及び／又はＢＷＰ上で基準信号を受信することができる。さらに、ＵＥは、それらの関連する基準信号リソースを使用して、選択されたセル及び／又はＢＷＰ上で基準信号を受信することができる。いくつかの実施形態では、ＵＥは、（１）選択されたセル及び／又はＢＷＰ上で、並びに（２）選択された基準信号リソースを使用して、基準信号を受信するだけである。言い換えると、選択された基準信号リソースが選択されたセル又はＢＷＰに関連付けられていない場合、ＵＥは、基準信号を受信するためにリソースを使用しない。また、選択されたセル又はＢＷＰが選択された基準信号リソースに関連付けられていない場合、ＵＥは、セル又はＢＷＰ上で基準信号を受信しない。
【００４６】
いくつかの実施形態では、ＵＥは、選択されたセル及び／又はＢＷＰ情報と、選択された基準信号リソースサブセットに含まれる基準信号リソースとに基づいて、選択された基準信号リソースの周波数領域情報（例えば、最大帯域幅、部分帯域幅構成の周波数領域粒度など）を決定することができる。
【００４７】
第２の実施形態
【００４８】
トリガされた基準信号送信の場合、基地局は、第１のシグナリングを使用することによって、基準信号リソースセットを構成することができ、第１のシグナリングは一般に、高層シグナリングである。基地局は、第２のシグナリングを使用することによって、構成された基準信号リソースセットから基準信号リソース及び／又は基準信号リソースサブセットを選択することができる。ＵＥは、選択された基準信号リソース及び／又は基準信号リソースサブセットを使用して、基準信号を受信することができる。例示的に、第２のシグナリングは、Ｌ１シグナリング、Ｌ２シグナリング、又はＬ１シグナリングとＬ２シグナリングとの組み合わせとすることができる。例えば、Ｌ２シグナリングは、構成された基準信号リソースセットからの基準信号リソースの第１のサブセットの選択を示すことができ、次いで、Ｌ１シグナリングは、第１のサブセットからの基準信号リソースの第２のサブセットのさらなる選択を示すことができる。ＵＥは、第２のサブセットに含まれる基準信号リソースを使用して、基準信号を受信することができる。
【００４９】
基地局が一度に複数の基準信号リソースセット又は基準信号リソースサブセットをトリガする必要がある場合、基地局は、シグナリング通知を介してそれを達成することができる。図５は、本開示の技術のいくつかの実施形態による、１つ又は複数の基準信号リソースサブセットをトリガする方法の例を示す。
【００５０】
例示的に、基地局は、シグナリング５０２を使用して、複数の基準信号リソースサブセットから、複数の基準信号リソースサブセットを選択して、基準信号リソースサブセットの１つ又は複数の候補グループを形成する。例えば、Ｎ個の基準信号リソースサブセットは、１つ又は複数のＮビットビットマップで構成することができ、ビットマップ内の値「１」に対応する基準信号リソースサブセットは対応する候補サブセットグループに含まれ、一方、ビットマップ内の値「０」に対応する基準信号リソースサブセットはフィルタリングされる。シグナリング５０２は、レイヤ３（Ｌ３）シグナリング及び／又はＬ２シグナリングなどの高層シグナリングとすることができる。いくつかの実施形態では、シグナリングは、Ｌ３シグナリングとＬ２シグナリングとの組み合わせとすることができる。例えば、Ｌ個のＮビットビットマップがＬ３に示され、基準信号リソースサブセットのＬ個の候補グループを形成する。Ｌ２シグナリングは、Ｌ３シグナリングにおいて示される基準信号リソースサブセットのＬ個の候補グループから基準信号リソースセットのＭ個の候補グループを選択するために使用される。いくつかの実施形態では、このＬ２シグナリングは、関連するＬ１シグナリング状態（例えば、コードポイント）を、もしあれば、Ｌ３シグナリングで示される基準信号リソースサブセットのＬ個の候補グループのサブセットにマッピングする。
【００５１】
基地局は、候補サブセットグループから最終基準信号リソースサブセットグループをさらに選択するために、別のシグナリング５０４によってＵＥに通知することができる。シグナリング５０４は、Ｌ２シグナリング又はＬ１シグナリングとすることができる。ＵＥは、選択された最終基準信号リソースサブセットグループに対応する基準信号リソースを使用して、基準信号を受信することができる。
【００５２】
いくつかの実施形態では、複数の基準信号リソースセット及び／又は基準信号リソースサブセットの送信をトリガするとき、基地局は、トリガするシグナリングと、対応する基準信号リソースセット又はサブセットの実際の送信との間のタイムギャップをＵＥに示すことができる。タイムギャップは、個別基準信号リソースセット又はサブセットに関して構成することができる（例えば、同じ基準信号リソースセット又はサブセット内の基準信号リソースは、同じタイムギャップに関連付けられる）。タイムギャップの表示は、シグナリング又は所定のルールを介して達成することができる。タイムギャップを示すための所定のルールは、（１）基準信号をトリガするＬ１シグナリングが対応する空間ＱＣＬパラメータ情報を含むかどうか、又は（２）Ｌ１シグナリング内の空間ＱＣＬパラメータ情報がデフォルト構成又は高レベル構成の空間ＱＣＬパラメータと一致するかどうかに基づいて、タイムギャップを決定することを含むことができる。
【００５３】
第３の実施形態
【００５４】
上述したように、ＵＥは、トリガされた基準信号リソースに対応するセル及び／又はＢＷＰ情報を決定することができる。基準信号の送信をトリガするシグナリングは、ＣＳＩフィードバックをトリガするために使用することもできる。例示的に、基地局は、第１及び／又は第２のシグナリングを使用することによって、基準信号リソースの送信と、ＣＳＩ報告の要求とを同時にＵＥに通知することができる。したがって、ＵＥは、トリガされた基準信号リソースを測定することによって、対応するＣＳＩを生成し、ＣＳＩを基地局に報告することができる。生成されたＣＳＩに対応する周波数領域リソースは、様々な方法で決定することができる。
【００５５】
いくつかの実施形態では、基地局は、ＣＳＩを報告するためのセル及び／又はＢＷＰ情報をＵＥに通知するために第５のシグナリングを使用する。例示的に、ＣＳＩ報告のために構成されたセルは、基準信号構成情報に基づいて決定されたセルのサブセットとすることができ、及び／又は、ＣＳＩ報告のために構成されたＢＷＰは、基準信号構成情報に基づいて決定されたＢＷＰのサブセットとすることができる。場合によっては、ＣＳＩ報告のために構成されたセルは、基準信号構成情報に基づいて決定されたセルと同じであり、及び／又はＣＳＩ報告のために構成されたＢＷＰは、基準信号構成情報に基づいて決定されたＢＷＰと同じである。
【００５６】
いくつかの実施形態では、ＵＥは、基準信号構成情報を介して決定されたセルに従ってＣＳＩフィードバックのためのセルを決定し、及び／又は基準信号構成情報を介して決定されたＢＷＰに従ってＣＳＩフィードバックのためのＢＷＰを決定する。さらに、ＵＥは、基準信号構成情報に基づいて決定されたセル又はＢＷＰ情報に従って、（１）ＣＳＩ報告のためのサブバンドサイズ、及び／又は（２）ＣＳＩ報告に関連するサブバンドの周波数領域ロケーションを決定することができる。
【００５７】
第４の実施形態
【００５８】
基地局が基準信号を送信する場合、基準信号の受信側（例えば、ＵＥ）は、信号受信のための空間ＱＣＬパラメータを変更することによって、信号の受信品質を改善することができる。一般に、空間ＱＣＬパラメータは、通信チャネルの急速な変化に適応するように、Ｌ２制御シグナリング又はＬ１制御シグナリングに含まれる指示によって決定することができる。空間ＱＣＬパラメータ指示は、基準信号をトリガする制御シグナリングと同じ制御シグナリングフォーマットで送信することができる。ＵＥが空間ＱＣＬパラメータの指示を受信した後、ＵＥがその受信モード又は機能を調整するために、ある程度の時間がかかり得る。したがって、基準信号をトリガするための制御シグナリングと基準信号の実際の送信との間のタイムギャップは、空間ＱＣＬパラメータの指示に従って決定することができる。
【００５９】
いくつかの実施形態では、基準信号の送信をトリガするためのシグナリングの制御シグナリングフォーマット（例えば、基準信号リソースサブセット及び／又は基準信号リソースの選択を示すシグナリング）が対応する空間ＱＣＬパラメータを含まない場合、基準信号リソースサブセット及び／又は基準信号リソースは、基準信号をトリガするためのシグナリングと同じタイムスロットで送信される。
【００６０】
いくつかの実施形態では、基準信号をトリガするためのシグナリングの制御シグナリングフォーマットが基準信号リソースサブセット及び／又は基準信号リソースに対応する空間ＱＣＬパラメータを含む場合、ＵＥは、所定のルールを使用することによって、及び／又は制御シグナリングに基づいて、基準信号が送信されるタイムスロットと、基準信号をトリガするシグナリングが送信されるタイムスロットとの間のタイムギャップを決定することができる。
【００６１】
例示的に、所定のルールは、基準信号をトリガするためのシグナリングの制御シグナリングフォーマットが基準信号リソースサブセット及び／又は基準信号リソースに対応する空間ＱＣＬパラメータを含む場合、基準信号が、基準信号をトリガするシグナリングが送信されるタイムスロットの直後の次のタイムスロットにおいて送信されるというルールを含むことができる。
【００６２】
制御シグナリングベースのタイムギャップ決定に関して、例示的に、（１）基準信号が送信されるスロットと、基準信号をトリガするシグナリングが送信されるスロットとの間のタイムギャップに関する指示情報と、（２）空間ＱＣＬパラメータに関する指示情報とを共同で示すことができる。いくつかの実施形態では、共同指示シグナリング（joint indicating signaling）は、ＱＣＬパラメータ及びタイムギャップパラメータが存在しない、利用不可能であり又は欠けていることを示す状態を含む。例示的に、この場合、基準信号は、第２のシグナリングが送信されるスロットにおいて送信される。いくつかの実施形態では、制御シグナリングは、（１）空間ＱＣＬパラメータ及び（２）タイムギャップを示すパラメータの共同コーディング（joint coding）を含む。
【００６３】
第５の実施形態
【００６４】
個別基準信号リソース又は基準信号リソースのグループは、複数の基準信号ポートを含むことができる。これらのポートは、異なる送信又は受信構成を有することができる。そのため、これらのポートはＱＣＬパラメータの設定が異なる場合がある。所定の、又は構成されたモードに基づいて、基地局は、異なる基準信号ポートのために異なるＱＣＬパラメータを構成することができる。例示的に、同一グループ内のポートは同一のＱＣＬパラメータを有することができ、異なるグループのＱＣＬパラメータは異なっていてもよい。具体的には、Ｎ個のＣＳＩ−ＲＳポートをＤ個のポートグループに分割することができる。各グループ内のポートは同じＱＣＬパラメータを有し、異なるグループのＱＣＬパラメータは、それぞれ、以下の方法を使用して示すことができる。
【００６５】
方法１：同じシンボル又はシンボルグループ上のポートは、同じグループに含まれる。例えば、同じタイムドメインシンボル上のＦＤＭポートを同じグループにグループ化できる。別の例として、タイムドメインＣＤＭ多重化によって同じシンボルグループに関連付けられたポートは、同じポートグループにグループ化することができる。
【００６６】
方法２：同じコンポーネント又はコンポーネントグループ内のポートは、同じグループに含まれる。例示的に、基準信号構成において、コンポーネントはマルチポート基準信号構成の基本単位（例えば、２ポート又は４ポート基準信号の構成）であり、かつ、より多くのポートを有する基準信号は、複数のコンポーネントの集約によって形成することができる。したがって、コンポーネントは基準信号ポートグループ化のための基本単位として働くことができ、すなわち、同じコンポーネント又はコンポーネントグループ内のポートは、同じポートグループにグループ化される。
【００６７】
方法３：Ｍの間隔で区切られたポートインデックスを持つポートは、同じグループにグループ化される。例示的に、Ｍの値は、様々な方法で決定することができる。例えば、Ｍの値はＮ／２である。つまり、Ｎ／２個の他のポートの間隔で区切られたポートは、同じグループにグループ化される。さらに、個々のポートインデックスをＮ／２で割ることができる。除算の結果、閾値Ｔより小さい剰余値が得られた場合、対応するポートを同じグループに含めることができる。他のすべてのポートは、別のグループに含めることができる。別の例として、Ｍの値はＮ／Ｋであり、Ｋは、基準信号リソースに含まれるＣＤＭグループの数である。さらに、個々のポートインデックスは、Ｎ／Ｋで割ることができる。除算の結果、閾値Ｔより小さい剰余値が得られた場合、対応するポートを同じグループに含めることができる。そして、他のポートを別のグループにグループ化することができる。さらに別の例として、Ｍの値は、各ＣＤＭグループに含まれるポートの数である。代替的に又は追加的に、Ｍの値は、基地局シグナリングを介して決定することができる。例えば、Ｍの値は、関連するコードブック構成パラメータによって決定できる。より具体的には、Ｍの値は、ポートグループ間隔のパラメータ及び／又はコードブックインデックスによって示されるように結合されるプリコーディングベクトルの数に基づいて決定され得る。
【００６８】
方法４：Ｓ個の連続するポートインデックスを有するポートは、同じグループにグループ化される。例えば、Ｓは、コンポーネント内のポート数、各ＣＤＭグループ内のポート数、又は複数の連続するＣＤＭグループ内のポート数とすることができる。別の例として、Ｓの値は、Ｎ／Ｋであり、Ｋは、基準信号リソースに含まれるＣＤＭグループの数である。代替的に又は追加的に、Ｓの値は、基地局シグナリングを介して決定することができる。例えば、Ｓの値は、関連するコードブック構成パラメータによって決定できる。より具体的には、Ｓの値は、ポートグループ間隔のパラメータ及び／又はコードブックインデックスによって示されるように結合されるプリコーディングベクトルの数に基づいて決定され得る。
【００６９】
図６は、本開示の技術のいくつかの実施形態による、無線局の一部のブロック図表現である。基地局又は無線機器（又はＵＥ）のような無線局６０５は、本明細書で示される技術のうちの１つ又は複数を実装するマイクロプロセッサのようなプロセッサエレクトロニクス６１０を含むことができる。無線局６０５は、アンテナ６２０などの１つ又は複数の通信インターフェースを介して無線信号を送信及び／又は受信するためのトランシーバエレクトロニクス６１５を有することができる。無線局６０５は、データを送受信するための他の通信インターフェースを有することができる。無線局６０５は、データ及び／又は命令などの情報を記憶するように構成された１つ又は複数のメモリ（明示的に示されていない）を有することができる。いくつかの実装形態では、プロセッサエレクトロニクス６１０は、トランシーバエレクトロニクス６１５の少なくとも一部を有することができる。いくつかの実施形態では、開示された技法、モジュール、又は機能のうちの少なくともいくつかは無線局６０５を使用して実装される。
【００７０】
本明細書で説明される実施形態のいくつかは、方法又はプロセスの一般的なコンテキストで説明され、方法又はプロセスは、一実施形態ではネットワーク化された環境内のコンピュータによって実行される、プログラムコードなどのコンピュータ実行可能命令を含む、コンピュータ可読媒体で実施されるコンピュータプログラム製品によって実装され得る。コンピュータ可読媒体は、リードオンリメモリ（ＲＯＭ）、ランダムアクセスメモリ（ＲＡＭ）、コンパクトディスク（ＣＤ）、デジタル多用途ディスク（ＤＶＤ）などを含むが、これらに限定されない、取り外し可能及び非取り外し可能記憶装置を含むことができる。したがって、コンピュータ可読媒体は、一時的でない記憶媒体を含むことができる。一般に、プログラムモジュールは、特定のタスクを実行するか、又は特定の抽象データ型を実装するルーチン、プログラム、オブジェクト、コンポーネント、データ構造などを含み得る。コンピュータ又はプロセッサ実行可能命令、関連データ構造、及びプログラムモジュールは、本明細書に開示する方法のステップを実行するためのプログラムコードの例を表す。そのような実行可能命令又は関連するデータ構造の特定のシーケンスは、そのようなステップ又はプロセスで説明される機能を実装するための対応する動作の例を表す。
【００７１】
開示された実施形態のいくつかは、ハードウェア回路、ソフトウェア、又はそれらの組み合わせを使用して、デバイス又はモジュールとして実装され得る。例えば、ハードウェア回路実装は、例えば、プリント回路基板の一部として集積される個別のアナログ及び／又はデジタルコンポーネントを含むことができる。代替的に、又は追加的に、開示されたコンポーネント又はモジュールは、特定用途向け集積回路（ＡＳＩＣ）及び／又はフィールドプログラマブルゲートアレイ（ＦＰＧＡ）デバイスとして実装することができる。いくつかの実装形態は、追加的に又は代替的に、本出願の開示された機能に関連するデジタル信号処理の動作上の必要性のために最適化されたアーキテクチャを有する特殊化されたマイクロプロセッサであるデジタル信号プロセッサ（ＤＳＰ）を含むことができる。同様に、各モジュール内の様々なコンポーネント又はサブコンポーネントは、ソフトウェア、ハードウェア、又はファームウェアで実現することができる。モジュール内のモジュール及び／又はコンポーネント間の接続性は、インターネット、有線、又は適切なプロトコルを使用する無線ネットワークを介した通信を含むが、これらに限定されない、当技術分野で公知の接続方法及び媒体のいずれか１つを使用して実現することができる。
【００７２】
この特許文献は多くの詳細を含むが、これらは任意の発明の範囲又は特許請求され得る範囲に対する限定として解釈されるべきではなく、むしろ、特定の発明の特定の実施形態に特有であり得る特徴の説明として解釈されるべきである。別個の実施形態の文脈でこの特許文献に記載されている特定の特徴は、単一の実施形態において組み合わせて実施することもできる。逆に、単一の実施形態の文脈で説明される様々な特徴は、複数の実施形態で別々に、又は任意の適切なサブコンビネーションで実装することもできる。さらに、特徴は、特定の組み合わせで動作するものとして上記で説明されてもよく、そのようなものとして最初に特許請求されてもよいが、特許請求される組み合わせからの１つ又は複数の特徴は、場合によっては、その組み合わせから削除されてもよく、特許請求される組み合わせは、サブコンビネーション又はサブコンビネーションの変形に向けられてもよい。
【００７３】
同様に、動作は特定の順序で図面に示されているが、これは望ましい結果を達成するために、そのような動作が示された特定の順序で、又は連続的な順序で実行されること、又は示されたすべての動作が実行されることを必要とするものとして理解されるべきではない。さらに、本特許文献に記載された実施形態における様々なシステム構成要素の分離は、すべての実施形態においてそのような分離を必要とするものとして理解されるべきではない。
【００７４】
いくつかの実施例及び実装例のみが開示され、他の実装例、拡張及び変形は、本特許文献において説明及び図示されたものに基づいて行うことができる。
【図１】
2021503253.tif 000003
【図２】
2021503253.tif 000004
【図３】
2021503253.tif 000005
【図４】
2021503253.tif 000006
【図５】
2021503253.tif 000007
【図６】
2021503253.tif 000008
【手続補正書】
【提出日】令和2年7月31日(2020.7.31)
【手続補正１】
【補正対象書類名】特許請求の範囲
【補正対象項目名】全文
【補正方法】変更
【補正の内容】
【特許請求の範囲】
【請求項１】
無線通信方法であって、
受信側により、チャネル状態情報と関連する基準信号のための、基準信号リソースの１つ又は複数のセットを構成する送信側から、第１のシグナリングを受信することと、
前記受信側により、前記基準信号リソースの１つ又は複数のセットからの、前記基準信号リソースの１つ又は複数のセットのサブセットの選択を指示する前記送信側から、第２のシグナリングを受信することと、
前記受信側により、送信をトリガする前記送信側から、第３のシグナリングを受信することと、を含み、
前記第３のシグナリングは、前記送信のための前記基準信号リソースの１つ又は複数のセットの前記サブセットから基準信号リソースの最終セットを選択し、
前記第３のシグナリングが受信される第１のスロットと、前記送信が行われる第２のスロットとのタイムギャップが、前記基準信号リソースの１つ又は複数のセットのための空間擬似コロケーション（ＱＣＬ）パラメータが前記送信側により示されたかどうかに基づいて決定される、方法。
【請求項２】
前記基準信号リソースの１つ又は複数のセットのための前記空間ＱＣＬパラメータが示されない場合、前記第１のスロット及び前記第２のスロットが同じスロットである、請求項１に記載の方法。
【請求項３】
前記基準信号リソースの１つ又は複数のセットのための前記空間ＱＣＬパラメータが示される場合、前記タイムギャップが、前記送信側による構成に基づいて決定される、請求項１に記載の方法。
【請求項４】
前記タイムギャップが、前記基準信号リソースの１つ又は複数のセットのそれぞれに関して構成される、請求項３に記載の方法。
【請求項５】
無線通信方法であって、
送信側により、チャネル状態情報と関連する基準信号のための、基準信号リソースの１つ又は複数のセットを示す受信側に対し、第１のシグナリングを送信することと、
前記送信側により、前記基準信号リソースの１つ又は複数のセットからの、前記基準信号リソースの１つ又は複数のセットのサブセットの選択を指示する前記受信側に対し、第２のシグナリングを送信することと、
前記送信側により、前記端末側により送信をトリガする前記受信側に対し、第３のシグナリングを送信することと、を含み、
前記第３のシグナリングは、前記送信のための前記基準信号リソースの１つ又は複数のセットの前記サブセットから基準信号リソースの最終セットを選択し、
前記第３のシグナリングが受信される第１のスロットと、前記送信が行われる第２のスロットとのタイムギャップが、前記基準信号リソースの１つ又は複数のセットのための空間擬似コロケーション（ＱＣＬ）パラメータが前記送信側により示されたかどうかに基づいて決定される、方法。
【請求項６】
前記基準信号リソースの１つ又は複数のセットのための前記空間ＱＣＬパラメータが示されない場合、前記第１のスロット及び前記第２のスロットが同じスロットである、請求項５に記載の方法。
【請求項７】
前記基準信号リソースの１つ又は複数のセットのための前記空間ＱＣＬパラメータが示される場合、前記タイムギャップが、前記送信側による構成に基づいて決定される、請求項５に記載の方法。
【請求項８】
前記タイムギャップが、前記基準信号リソースの１つ又は複数のセットのそれぞれに関して構成される、請求項７に記載の方法。
【請求項９】
無線通信装置であって、
プロセッサと、
プロセッサ実行可能なコードを含むメモリと、を備え、
前記プロセッサ実行可能なコードは、前記プロセッサにより実行されると、前記プロセッサに、
チャネル状態情報と関連する基準信号のための、基準信号リソースの１つ又は複数のセットを構成する送信側から、第１のシグナリングを受信させ、
前記基準信号リソースの１つ又は複数のセットからの、前記基準信号リソースの１つ又は複数のセットのサブセットの選択を指示する前記送信側から、第２のシグナリングを受信させ、
送信をトリガする前記送信側から、第３のシグナリングを受信させ、
前記第３のシグナリングは、前記送信のための前記基準信号リソースの１つ又は複数のセットの前記サブセットから基準信号リソースの最終セットを選択し、
前記第３のシグナリングが受信される第１のスロットと、前記送信が行われる第２のスロットとのタイムギャップが、前記基準信号リソースの１つ又は複数のセットのための空間擬似コロケーション（ＱＣＬ）パラメータが前記送信側により示されたかどうかに基づいて決定される、装置。
【請求項１０】
無線通信装置であって、
プロセッサと、
プロセッサ実行可能なコードを含むメモリと、を備え、
前記プロセッサ実行可能なコードは、前記プロセッサにより実行されると、前記プロセッサに、
チャネル状態情報と関連する基準信号のための、基準信号リソースの１つ又は複数のセットを構成する受信側に対し、第１のシグナリングを送信させ、
前記基準信号リソースの１つ又は複数のセットからの、前記基準信号リソースの１つ又は複数のセットのサブセットの選択を指示する前記受信側に対し、第２のシグナリングを送信させ、
前記端末側により送信をトリガする前記受信側に対し、第３のシグナリングを送信させ、
前記第３のシグナリングは、前記送信のための前記基準信号リソースの１つ又は複数のセットの前記サブセットから基準信号リソースの最終セットを選択し、
前記第３のシグナリングが受信される第１のスロットと、前記送信が行われる第２のスロットとのタイムギャップが、前記基準信号リソースの１つ又は複数のセットのための空間擬似コロケーション（ＱＣＬ）パラメータが前記送信側により示されたかどうかに基づいて決定される、装置。
【請求項１１】
前記基準信号リソースの１つ又は複数のセットのための前記空間ＱＣＬパラメータが示されない場合、前記第１のスロット及び前記第２のスロットが同じスロットである、請求項９又は１０記載の装置。
【請求項１２】
前記基準信号リソースの１つ又は複数のセットのための前記空間ＱＣＬパラメータが示される場合、前記タイムギャップが、前記送信側による構成に基づいて決定される、請求項９又は１０に記載の装置。
【請求項１３】
前記タイムギャップが、前記基準信号リソースの１つ又は複数のセットのそれぞれに関して構成される、請求項１２に記載の装置。
【請求項１４】
コードが記憶された非一時的コンピュータ可読プログラム記憶媒体であって、前記コードは、プロセッサによって実行されるとき、前記プロセッサに、請求項１〜８のいずれかに記載の方法を実行させる、プログラム記憶媒体。
【国際調査報告】
2021503253.tif 000009
2021503253.tif 000010